(57)【要約】【課題】  バンドアーチファクトが軽減されたラディアルスキャンあるいはプロペラスキャンを行う磁気共鳴撮像装置を実現する。【解決手段】  読み出し勾配磁場が収集ラインごとに異なるＳＳＦＰのラディアルスキャンで、各収集ラインごとに、ＦＩＤエコー、ＳＥ・ＳＴＥエコーのエコー中心が、Ｋ空間上の原点と一致する一致条件の収集をステップＳ５０７で行い、本スキャンの際に、これら一致条件を用いて、Ｋ空間上の受信エコーが、すべて原点にエコー中心を有することとしているので、磁場不均一等により発生するＦＩＤエコー、ＳＥ・ＳＴＥエコーのエコー中心のずれを防止し、ひいては、このずれに起因して発生する断層画像情報のバンドアーチファクトを軽減することを実現させる。【選択図】        図５
2005152175.tif 000002
【特許請求の範囲】
【請求項１】
互いに直交する３つの軸の複数軸方向に読み出し勾配磁場を有するパルスシーケンスにより、前記読み出し勾配磁場の形成中に収集される一連の磁気共鳴信号情報が、フーリエ変換による画像再構成の基となるＫ空間上の、空間周波数が零となる原点を通過する収集ラインに沿った一連のデータとなる磁気共鳴撮像装置であって、
前記パルスシーケンスは、異なる大きさの前記読み出し勾配磁場を有する複数の前記収集ラインごとに、前記磁気共鳴信号情報に含まれるエコーのエコー中心と前記原点とを一致させる補正手段を備えることを特徴とする磁気共鳴撮像装置。
【請求項２】
前記エコーは、ＳＳＦＰを用いた前記パルスシーケンスで収集される、ＦＩＤエコーおよびＳＥ・ＳＴＥエコーであることを特徴とする請求項１に記載の磁気共鳴撮像装置。
【請求項３】
前記補正手段は、前記ＳＳＦＰを用いた磁気共鳴信号情報の収集を行う前に、前記ＦＩＤエコーおよび前記ＳＥ・ＳＴＥエコーを分離抽出する分離勾配磁場、並びに、前記パルスシーケンスと同一の読み出し勾配磁場を有する前記ＳＳＦＰを用いた分離パルスシーケンスにより、前記ＦＩＤエコーおよび前記ＳＥ・ＳＴＥエコーの個別収集を行うことを特徴とする請求項２に記載の磁気共鳴撮像装置。
【請求項４】
前記個別収集は、前記Ｋ空間を構成する複数の前記収集ラインの、一部の収集ラインで行われることを特徴とする請求項３に記載の磁気共鳴撮像装置。
【請求項５】
前記補正手段は、前記一部の収集ラインで、前記ＦＩＤエコーおよび前記ＳＥ・ＳＴＥエコーと前記原点との一致条件を求める調整手段と、前記一致条件から、すべての前記収集ラインでの一致条件を求める補間手段とを備えることを特徴とする請求項４に記載の磁気共鳴撮像装置。
【請求項６】
前記分離パルスシーケンスは、前記ＦＩＤエコーの前記一致を行う際に、前記分離勾配磁場を、前記分離パルスシーケンスの読み出し勾配磁場の後に位置させることを特徴とする請求項３ないし５のいづれか１つに記載の磁気共鳴撮像装置。
【請求項７】
前記調整手段は、前記ＦＩＤエコーをフーリエ変換して位相角度の空間分布を求め、さらに前記空間分布の傾きから前記エコー中心の位置情報を取得することを特徴とする請求項６に記載の磁気共鳴撮像装置。
【請求項８】
前記調整手段は、前記磁気共鳴信号を励起するＲＦパルスの位相角度を調整することを特徴とする請求項７に記載の磁気共鳴撮像装置。
【請求項９】
前記分離パルスシーケンスは、前記ＳＥ・ＳＴＥエコーの前記一致を行う際に、前記分離勾配磁場を、前記分離パルスシーケンスの磁気共鳴信号を励起するＲＦパルスおよび前記分離パルスシーケンスの読み出し勾配磁場の間に位置させることを特徴とする請求項３ないし８のいずれか１つに記載の磁気共鳴撮像装置。
【請求項１０】
前記調整手段は、前記ＳＥ・ＳＴＥエコーをフーリエ変換して位相角度の空間分布を求め、さらに前記空間分布の傾きから前記エコー中心の位置情報を取得することを特徴とする請求項９に記載の磁気共鳴撮像装置。
【請求項１１】
前記調整手段は、前記読み出し勾配磁場の前に位置するディフェーズ勾配の大きさを調整することを特徴とする請求項１０に記載の磁気共鳴撮像装置。
【請求項１２】
前記エコーは、ＦＳＥを用いた前記パルスシーケンスで収集される、ＳＥエコーおよびＳＴＥエコーであることを特徴とする請求項１に記載の磁気共鳴撮像装置。
【請求項１３】
前記補正手段は、前記ＦＳＥを用いた磁気共鳴信号情報の収集を行う前に、前記パルスシーケンスと同一の読み出し勾配磁場を有する前記ＦＳＥを用いたパルスシーケンスにより、複数の１８０度パルスで繰り返し生成される奇数番目および偶数番目の、ＳＥエコーあるいはＳＴＥエコー、のエコー中心の位置情報を収集することを特徴とする請求項１２に記載の磁気共鳴撮像装置。
【請求項１４】
前記収集は、前記Ｋ空間を構成する複数の前記収集ラインの、一部の収集ラインで行われることを特徴とする請求項１３に記載の磁気共鳴撮像装置。
【請求項１５】
前記補正手段は、前記一部の収集ラインで、前記奇数番目および前記偶数番目のＳＥエコーあるいはＳＴＥエコーと、前記原点との一致条件を求める調整手段と、前記一致条件から、すべての前記収集ラインでの一致条件を求める補間手段を備えることを特徴とする請求項１４に記載の磁気共鳴撮像装置。
【請求項１６】
前記調整手段は、前記位置情報に基づいて、前記偶数番目および前記奇数番目の、ＳＥエコーあるいはＳＴＥエコーのエコー中心が一致するように、前記磁気共鳴信号を励起するＲＦパルスの位相角度あるいは前記読み出し勾配磁場の前に位置するディフェーズ勾配の大きさを調整することを特徴とする請求項１５に記載の磁気共鳴撮像装置。
【請求項１７】
互いに直交する３つの軸の複数軸方向に読み出し勾配磁場を有するパルスシーケンスにより磁気共鳴信号情報の収集を行う前に、
異なる前記読み出し勾配磁場の磁気共鳴信号情報に含まれるエコーに関するエコー中心の位置情報を取得し、
前記磁気共鳴信号情報が保存され、フーリエ変換による画像再構成の基となるＫ空間上の、空間周波数が零となる原点を通過する複数の収集ラインに沿って、前記位置情報に基づいて、前記エコー中心と前記原点とを、異なる前記読み出し勾配磁場ごとに一致させる一致条件を求め、
前記一致条件に基づいて、前記エコー中心と前記原点とを一致させ前記パルスシーケンスの磁気共鳴信号の収集を行うこと、
を特徴とする磁気共鳴撮像方法。
【請求項１８】
前記一致条件は、前記磁気共鳴信号を励起するＲＦパルスの位相角度および前記読み出し勾配磁場の前に位置するディフェーズ勾配の大きさを含むことを特徴とする請求項１７に記載の磁気共鳴撮像方法。
【発明の詳細な説明】
【技術分野】
【０００１】
この発明は、データ（ｄａｔａ）収集を、互いに直交する複数軸方向に読み出し勾配磁場を含むパルスシーケンス（ｐｕｌｓｅ  ｓｅｑｕｅｎｃｅ）を用いて行う磁気共鳴撮像装置に関する。
【背景技術】
【０００２】
近年、磁気共鳴撮像装置で発生される静磁場の、磁場不均一に起因する画質劣化は、マグネット（ｍａｇｎｅｔ）の性能向上および撮像に用いられるパルスシーケンスの改良により、改善されつつある。ここで、例えば、ＳＳＦＰ（ステディ  ステート  フリー  プリセッション：Ｓｔｅａｄｙ  Ｓｔａｔｅ  Ｆｒｅｅ  Ｐｒｅｃｅｓｓｉｏｎ）を用いたパルスシーケンスの場合には、磁場不均一により、読み出し勾配磁場の印加中に複数の受信エコー（ｅｃｈｏ）が観察される。これら複数の受信エコーは、フーリエ（Ｆｏｕｒｉｅｒ）変換を用いた画像再構成の際に、干渉を起こし、再構成画像上にバンドアーチファクト（ｂａｎｄ  ａｒｔｉｆａｃｔ）あるいはモアレ（Ｍｏｉｒｅ）と呼ばれる縞状の陰影を生じる。
【０００３】
ここで、これらアーチファクトの低減のため、時間的なずれを持って観察される複数の受信エコーを、１つに重ね合わせ、前記干渉を無くすことが行われる（例えば、特許文献１参照）。
【０００４】
一方、撮像中の被検体の動きよるアーチファクトを軽減するため、ラディアルスキャン（ｒａｄｉａｌ  ｓｃａｎ）あるいはプロペラスキャン（ｐｒｏｐｅｌｌｅｒ  ｓｃａｎ）と呼ばれるパルスシーケンスが用いられる。これらパルスシーケンスは、画像再構成前のＫ空間上で、磁気共鳴信号情報を、空間周波数が零となる原点を中心とする放射状の収集ライン（ｌｉｎｅ）に沿って取得する。その後、補間等により、前記原点を中心とする矩形状のＫ空間に、碁盤目状に配置される精密な縦および横位置の補間データを生成し、画像再構成を行う。
【０００５】
これにより、動きの影響の少ない、Ｋ空間の原点を通過する収集ライン上の磁気共鳴信号情報を生データとする撮像を行い、動きによるアーチファクトの少ない再構成画像を取得することができる。
【特許文献１】特開２００３―２１０４３１号公報、（第６頁、第２〜３図）
【発明の開示】
【発明が解決しようとする課題】
【０００６】
しかしながら、上記背景技術によれば、ラディアルスキャンあるいはプロペラスキャンは、磁場不均一に弱いものとなる。すなわち、ラディアルスキャンあるいはプロペラスキャンは、読み出し勾配磁場が毎回異なるパルスシーケンスの繰り返しにより、一枚の断層画像情報を取得する。ここで、読み出し勾配磁場に重畳される磁場不均一の効果は、毎回異なり、この結果、磁場不均一に起因する複数の受信エコーが、収集ラインごとに異なる位置で発生し、多くのバンドアーチファクトが生じる。
【０００７】
特に、ＳＳＦＰを用いたラディアルスキャンあるいはプロペラスキャンは、磁場不均一に弱く容易に複数の受信エコーが発生するので、これらを用いたパルスシーケンスでは、バンドアーチファクトが生じやすい。
【０００８】
これらのことから、バンドアーチファクトが軽減されたラディアルスキャンあるいはプロペラスキャンを行う磁気共鳴撮像装置をいかに実現するかが重要となる。
【０００９】
この発明は、上述した背景技術による課題を解決するためになされたものでありバンドアーチファクトが軽減されたラディアルスキャンあるいはプロペラスキャンを行うことができる磁気共鳴撮像装置を提供することを目的とする。
【課題を解決するための手段】
【００１０】
上述した課題を解決し、目的を達成するために、第１の観点の発明にかかる磁気共鳴撮像装置は、互いに直交する３つの軸の複数軸方向に読み出し勾配磁場を有するパルスシーケンスにより、前記読み出し勾配磁場の形成中に収集される一連の磁気共鳴信号情報が、フーリエ変換による画像再構成の基となるＫ空間上の、空間周波数が零となる原点を通過する収集ラインに沿った一連のデータとなる磁気共鳴撮像装置であって、前記パルスシーケンスは、異なる大きさの前記読み出し勾配磁場を有する複数の前記収集ラインごとに、前記磁気共鳴信号情報に含まれるエコーのエコー中心と前記原点とを一致させる補正手段を備えることを特徴とする。
【００１１】
この第１の観点による発明では、パルスシーケンスは、補正手段により、異なる大きさの読み出し勾配磁場を有する複数の収集ラインごとに、磁気共鳴信号情報に含まれるエコーのエコー中心とＫ空間上の原点とを一致させる。
【００１２】
また、第２の観点の発明にかかる磁気共鳴撮像装置は、前記エコーが、ＳＳＦＰを用いた前記パルスシーケンスで収集されるＦＩＤエコーおよびＳＥ・ＳＴＥエコーであることを特徴とする。
【００１３】
この第２の観点の発明では、ＳＳＦＰを用いたパルスシーケンスにより、磁気共鳴信号情報を収集する。
【００１４】
また、第３の観点の発明にかかる磁気共鳴撮像装置は、前記補正手段が、前記ＳＳＦＰを用いた磁気共鳴信号情報の収集を行う前に、前記ＦＩＤエコーおよび前記ＳＥ・ＳＴＥエコーを分離抽出する分離勾配磁場、並びに、前記パルスシーケンスと同一の読み出し勾配磁場を有する前記ＳＳＦＰを用いた分離パルスシーケンスによる磁気共鳴信号情報の個別収集を行うことを特徴とする。
【００１５】
この第３の観点の発明では、ＳＳＦＰを用いた磁気共鳴信号情報の収集を行う前に、ＦＩＤエコーおよびＳＥ・ＳＴＥエコーを分離抽出し、個別に読み出し勾配磁場に対応する個別のエコー中心の位置情報を取得する。
【００１６】
また、第４の観点の発明にかかる磁気共鳴撮像装置は、前記個別収集が、前記Ｋ空間を構成する複数の前記収集ラインの、一部の収集ラインで行われることを特徴とする。
【００１７】
この第４の観点の発明では、一部の収集ラインでのみ、エコー中心の位置情報を収集する。
【００１８】
また、第５の観点の発明にかかる磁気共鳴撮像装置は、前記補正手段が、前記一部の収集ラインで、前記ＦＩＤエコーおよび前記ＳＥ・ＳＴＥエコーと前記原点との一致条件を求める調整手段と、前記一致条件から、すべての前記収集ラインでの一致条件を求める補間手段とを備えることを特徴とする。
【００１９】
この第５の観点の発明では、補正手段は、調整手段により、一部の収集ラインでＦＩＤエコーおよびＳＥ・ＳＴＥエコーと原点との一致条件を求め、この一致条件から、補間手段により、すべての収集ラインでの一致条件を求める。
【００２０】
また、第６の観点の発明にかかる磁気共鳴撮像装置は、前記分離パルスシーケンスが、前記ＦＩＤエコーの前記一致を行う際に、前記分離勾配磁場を、前記分離パルスシーケンスの読み出し勾配磁場の後に位置させることを特徴とする。
【００２１】
この第６の観点の発明では、分離勾配磁場により、ＳＥ・ＳＴＥエコーの位相をばらけさせ、ＦＩＤエコーのみを取得する。
【００２２】
また、第７の観点の発明にかかる磁気共鳴撮像装置は、前記調整手段が、前記ＦＩＤエコーをフーリエ変換して位相角度の空間分布を求め、さらに前記空間分布の傾きからエコー中心の位置情報を取得することを特徴とする。
【００２３】
この第７の観点の発明では、ＦＩＤエコーのエコー中心と収集ラインの原点とのずれの大きさを検出する。
【００２４】
また、第８の観点の発明にかかる磁気共鳴撮像装置は、前記調整手段が、前記磁気共鳴信号を励起するＲＦパルスの位相角度を調整することを特徴とする。
【００２５】
この第８の観点の発明では、調整手段により、ＲＦパルスの位相角度を調整し、ＦＩＤエコーのエコー中心の位置を補正する。
【００２６】
また、第９の観点の発明にかかる磁気共鳴撮像装置は、前記分離パルスシーケンスが、前記ＳＥ・ＳＴＥエコーの前記一致を行う際に、前記分離勾配磁場を、前記分離パルスシーケンスの磁気共鳴信号を励起するＲＦパルスおよび前記分離パルスシーケンスの読み出し勾配磁場の間に位置させることを特徴とする。
【００２７】
この第９の観点の発明では、分離勾配磁場により、ＦＩＤエコーの位相をばらけさせ、ＳＥ・ＳＴＥエコーのみを取得する。
【００２８】
また、第１０の観点の発明にかかる磁気共鳴撮像装置は、前記調整手段が、前記ＳＥ・ＳＴＥエコーをフーリエ変換して位相角度の空間分布を求め、さらに前記空間分布の傾きからエコー中心の位置情報を取得することを特徴とする。
【００２９】
この第１０の観点の発明では、ＳＥ・ＳＴＥエコーのエコー中心と収集ラインの原点とのずれの大きさを検出する。
【００３０】
また、第１１の観点の発明にかかる磁気共鳴撮像装置は、前記調整手段が、前記読み出し勾配磁場の前に位置するディフェーズ勾配の大きさを調整することを特徴とする。
【００３１】
この第１１の観点の発明では、調整手段により、ディフェーズ勾配磁場の大きさを調整して、ＳＥ・ＳＴＥエコーのエコー中心位置のずれを補正する。
【００３２】
また、第１２の観点の発明にかかる磁気共鳴撮像装置は、前記エコーが、ＦＳＥを用いた前記パルスシーケンスで収集されるＳＥエコーおよびＳＴＥエコーであることを特徴とする。
【００３３】
この第１２の観点の発明では、ＦＳＥを用いたパルスシーケンスにより、磁気共鳴信号情報を収集する。
【００３４】
また、第１３の観点の発明にかかる磁気共鳴撮像装置は、前記補正手段が、前記ＦＳＥを用いた磁気共鳴信号情報の収集を行う前に、前記パルスシーケンスと同一の読み出し勾配磁場を有する前記ＦＳＥを用いたパルスシーケンスにより、複数の１８０度パルスで繰り返し生成される奇数番目および偶数番目の、ＳＥエコーあるいはＳＴＥエコー、のエコー中心の位置情報を収集することを特徴とする。
【００３５】
この第１３の観点の発明では、ＦＳＥを用いたパルスシーケンスの、奇数番目および偶数番目のＳＥエコーあるいはＳＴＥエコーのエコー中心の位置情報を収集する。
【００３６】
また、第１４の観点の発明にかかる磁気共鳴撮像装置は、前記収集が、前記Ｋ空間を構成する複数の前記収集ラインの、一部の収集ラインで行われることを特徴とする。
【００３７】
この第１４の観点の発明では、一部の収集ラインでのみ、エコー中心の位置情報を収集する。
【００３８】
また、第１５の観点の発明にかかる磁気共鳴撮像装置は、前記補正手段が、前記一部の収集ラインで、前記奇数番目および前記偶数番目のＳＥエコーあるいはＳＴＥエコーと、前記原点との一致条件を求める調整手段と、前記一致条件から、すべての前記収集ラインでの一致条件を求める補間手段を備えることを特徴とする。
【００３９】
この第１５の観点の発明では、補正手段は、調整手段により、一部の収集ラインで、奇数番目および偶数番目のＳＥエコーあるいはＳＴＥエコーと、原点との一致条件を求め、この一致条件から、補間手段により、すべての収集ラインでの一致条件を求める。
【００４０】
また、第１６の観点の発明にかかる磁気共鳴撮像装置は、前記補正手段が、前記位置情報に基づいて、前記偶数番目および前記奇数番目の、ＳＥエコーあるいはＳＴＥエコーのエコー中心が一致するように、前記磁気共鳴信号を励起するＲＦパルスの位相角度あるいは前記読み出し勾配磁場の前に位置するディフェーズ勾配の大きさを調整することを特徴とする。
【００４１】
この第１６の観点の発明では、位相角度あるいはディフェーズ勾配の大きさを調整し、偶数番目および奇数番目のエコー中心を一致させる。
【００４２】
また、第１７の観点の発明にかかる磁気共鳴撮像方法は、互いに直交する３つの軸の複数軸方向に読み出し勾配磁場を有するパルスシーケンスにより磁気共鳴信号情報の収集を行う前に、異なる前記読み出し勾配磁場の磁気共鳴信号情報に含まれるエコーに関するエコー中心の位置情報を取得し、前記磁気共鳴信号情報が保存され、フーリエ変換による画像再構成の基となるＫ空間上の、空間周波数が零となる原点を通過する複数の収集ラインに沿って、前記位置情報に基づいて、前記エコー中心と前記原点とを、異なる前記読み出し勾配磁場ごとに一致させる一致条件を求め、前記一致条件に基づいて、前記エコー中心と前記原点とを一致させ前記パルスシーケンスの磁気共鳴信号の収集を行うこと、を特徴とする。
【００４３】
この第１７の観点の発明では、互いに直交する３つの軸の複数軸方向に読み出し勾配磁場を有するパルスシーケンスにより磁気共鳴信号情報の収集を行う前に、異なる前記読み出し勾配磁場のエコー中心の位置情報を取得し、このエコー中心とＫ空間上の原点とを一致させる一致条件を求め、この一致条件に基づいて、エコー中心と原点とを一致させたパルスシーケンスにより、磁気共鳴信号の収集を行う。
【００４４】
また、第１８の観点の発明にかかる磁気共鳴撮像方法は、前記一致条件が、前記磁気共鳴信号を励起するＲＦパルスの位相角度および前記読み出し勾配磁場の前に位置するディフェーズ勾配の大きさからなることを特徴とする。
【００４５】
また、第１８の観点の発明にかかる磁気共鳴撮像方法は、ＲＦパルスの位相角度および読み出し勾配磁場の前に位置するディフェーズ勾配の大きさにより、一致させる。
【発明の効果】
【００４６】
以上説明したように、本発明によれば、パルスシーケンスは、補正手段により、異なる大きさの読み出し勾配磁場を有する収集ラインごとに、磁気共鳴信号情報に含まれるエコーのエコー中心と、Ｋ空間上の原点とを一致させることとしているので、これらエコー中心の不一致により、画像再構成の際に生じるバンドアーチファクトを軽減し、ひいては磁場不均一等による画質劣化を改善することができる。
【発明を実施するための最良の形態】
【００４７】
以下に添付図面を参照して、この発明にかかる磁気共鳴撮像装置を実施するための最良の形態について説明する。なお、これにより本発明が限定されるものではない。
（実施の形態１）
まず、本実施の形態１にかかる磁気共鳴撮像装置の全体構成について説明する。図１に磁気共鳴撮像装置の全体構成を示す。本装置は，マグネットシステム（ｍａｇｎｅｔ  ｓｙｓｔｅｍ）１００を有する。マグネットシステム１００は，主磁場コイル（ｃｏｉｌ）部１０２、勾配コイル部１０６およびＲＦ（ｒａｄｉｏ  ｆｒｅｑｕｅｎｃｙ）コイル部１０８を有する。そして、これら各コイル部を駆動および制御する、勾配駆動部１３０、ＲＦ駆動部１４０、データ（ｄａｔａ）収集部１５０、制御部１６０、データ処理部１７０、表示部１８０および操作部１９０を有する。
【００４８】
ここで、各コイル部は，概ね円盤の形状を有し、上下に一対ずつ配置されている。また、上下の各コイル部に挟まれる中間位置に撮像空間が存在し、クレードル（ｃｒａｄｌｅ）１０１および被検体１が配置される。被検体１は、クレードル１０１上に横臥状態とされ、クレードル１０１ごと撮像空間に搬送される。
【００４９】
主磁場コイル部１０２は、マグネットシステム１００の撮像空間に静磁場を形成する。静磁場の方向は、上下に一対ずつ配設される主磁場コイル部１０２の上下方向に平行である。すなわち、いわゆる垂直磁場を形成する。主磁場コイル部１０２は、超伝導コイルあるいは永久磁石等を用いて構成される。
【００５０】
勾配コイル部１０６は、互いに直交する３軸、すなわち図１に示すｘ、ｙおよびｚ軸方向に、それぞれ静磁場強度に線形勾配を持たせるための３つの勾配磁場を生じる。そして、これら３つの勾配磁場を組み合わせ、撮像空間内にスライス（ｓｌｉｃｅ）軸、位相エンコード軸および周波数エンコード軸の設定を行い撮像を行う。ここで、スライス軸、位相エンコード軸および周波数エンコード軸は、相互間の直交性を保ったまま、ｘ、ｙおよびｚ軸の勾配磁場を組み合わせて、撮像空間内に任意の傾きを持たせることもできる。
【００５１】
スライス軸方向の勾配磁場をスライス勾配磁場、位相エンコード軸方向の勾配磁場を位相エンコード勾配磁場、周波数エンコード軸方向の勾配磁場を周波数エンコード勾配磁場ともいう。周波数エンコード軸方向の勾配磁場は、被検体１に励起された磁気共鳴信号の位相を相互にばらけさせるディフェーズ（ｄｅｐｈａｓｅ）勾配磁場と、このばらけた磁気共鳴信号の位相を再度同じものとするリフォーカス（ｒｅｆｏｃｕｓ）のための読み出し勾配磁場とを有する。このような勾配磁場の発生を可能にするために、勾配コイル部１０６は、図示しない、ｘ、ｙおよびｚ軸方向に３系統の勾配コイルを有する。以下、勾配磁場を単に勾配ともいう。
【００５２】
ＲＦコイル部１０８は、静磁場空間に位置する被検体１の体内に、磁化ベクトル（ｖｅｃｔｏｒ）を励起するための高周波磁場を形成する。この高周波磁場の形成は、被検体１の内部に、磁気共鳴を励起するので、ＲＦ励起信号の送信ともいう。また、ＲＦ励起信号をＲＦパルス（ｐｕｌｓｅ）ともいう。
【００５３】
受信コイル部１０９は、励起された磁気モーメント（ｍｏｍｅｎｔ）が生じる電磁波すなわち磁気共鳴信号を受信する。ここで、受信コイル部１０９は、被検体１の近傍に配設され、被検体１が発する磁気共鳴信号を、感度良く受信することが好ましい。なお、ＲＦコイル部１０８が、受信用のコイルを兼用することもできる。
【００５４】
勾配コイル部１０６には、勾配駆動部１３０が接続されている。勾配駆動部１３０は、勾配コイル部１０６に駆動信号を与えて勾配磁場を発生させる。勾配駆動部１３０は、勾配コイル部１０６における３系統の勾配コイルに対応して、図示しない３系統の駆動回路を有する。
【００５５】
ＲＦ駆動部１４０は、ＲＦコイル部１０８に接続されており、ＲＦコイル部１０８に駆動信号を与えてＲＦパルスを送信し、被検体１の体内の磁化ベクトルを励起する。
【００５６】
受信コイル部１０９には、データ収集部１５０が接続されている。データ収集部１５０は、ＲＦコイル部１０８が受信した磁気共鳴信号を、Ａ／Ｄ（Ａｎａｌｏｇ  Ｔｏ  Ｄｉｇｉｔａｌ）変換器により、サンプリング（ｓａｍｐｌｉｎｇ）およびディジタル化を行い、このディジタル化された磁気共鳴信号を、ディジタルデータ（ｄｉｇｉｔａｌ  ｄａｔａ）として、後述するデータ処理部１７０のＫ空間に収集する。
【００５７】
制御部１６０は、勾配駆動部１３０、ＲＦ駆動部１４０およびデータ収集部１５０に接続され、勾配駆動部１３０ないしデータ収集部１５０をそれぞれ制御して撮像を遂行する。また、制御部１６０は、コンピュータ（ｃｏｍｐｕｔｅｒ）等を用いて構成され、図示しないメモリ（ｍｅｍｏｒｙ）を有する。メモリは、制御部１６０用の制御プログラム（ｐｒｏｇｒａｍ）であるパルスシーケンス（ｐｕｌｓｅ  ｓｅｑｕｅｎｃｅ）および各種のデータを記憶している。制御部１６０の機能は、コンピュータがメモリに記憶されたプログラムを実行することにより実現される。
【００５８】
データ収集部１５０の出力側は、データ処理部１７０に接続され、収集したデータをデータ処理部１７０に送信する。データ処理部１７０は、コンピュータ等を用いて構成され、図示しないメモリを有する。メモリは、データ処理部１７０用のプログラムおよび各種のデータを記憶している。
【００５９】
データ処理部１７０は、制御部１６０に接続され、制御部１６０の上位にあってそれを統括する。本装置の機能は、データ処理部１７０がメモリに記憶されたプログラムを実行することによりを実現される。
【００６０】
データ処理部１７０は、データ収集部１５０が収集した磁気共鳴信号である生データを、Ｋ空間に保存する。このＫ空間は、２次元あるいは３次元フーリエ変換により画像再構成を行う際の基になるデータ空間で、ｘ、ｙおよびｚ軸方向に対応する，空間周波数のＫｘ、ＫｙおよびＫｚ軸方向に碁盤目状にデータが配置されている。そして、Ｋ空間のデータをフーリエ変換することにより断層画像情報が生成され、この断層画像情報は、メモリに記憶される。また、データ処理部１７０は、後述するラディアルスキャン等により取得される、Ｋ空間の同心円状のデータから、フーリエ変換が行われる碁盤目状のデータを生成する補間手段も有する。
【００６１】
なお、データ処理部１７０、制御部１６０、勾配駆動部１３０およびＲＦ駆動部１４０は、補正手段をなし、また制御部１６０およびＲＦ駆動部１４０は、ＲＦパルスの強度を調節すると共に、磁気共鳴周波数を有する基本クロックに対するＲＦパルスの位相を調整する調整手段をなす。これにより、励起の際に、主磁場方向と励起される磁化ベクトルの角度および主磁場方向と垂直をなす平面内での励起される磁化ベクトルの位相角度が調整される。
【００６２】
また、制御部１６０および勾配駆動部１３０は、ディフェーズ勾配磁場の大きさを調整する調整手段をなす。これにより、磁気共鳴信号に含まれる受信エコーのエコー中心位置が調整される。
【００６３】
表示部１８０および操作部１９０は、データ処理部１７０に接続され、グラフィックディスプレー（ｇｒａｐｈｉｃ  ｄｉｓｐｌａｙ）等で構成される。操作部１９０はポインティングデバイス（ｐｏｉｎｔｉｎｇ  ｄｅｖｉｃｅ）を備えたキーボード（ｋｅｙｂｏａｒｄ）等で構成される。
【００６４】
表示部１８０は、データ処理部１７０から出力される再構成画像および各種の情報を表示する。操作部１９０は、オペレータによって操作され、各種の指令や情報等をデータ処理部１７０に入力する。オペレータは表示部１８０および操作部１９０を通じてインタラクティブ（ｉｎｔｅｒａｃｔｉｖｅ）に本装置を操作する。
【００６５】
ここで、本発明にかかる制御部１６０およびデータ処理部１７０の動作を説明する前に、読み出し勾配磁場を含む周波数エンコード軸が、ｘ、ｙおよびｚ軸方向の勾配磁場の複数の組み合わせで得られる、ラディアルスキャンについて説明する。
【００６６】
図２（Ａ）は、ラディアルスキャンを行う場合に使用されるパルスシーケンスの一例として、ＦＩＥＳＴＡあるいはＦＩＳＰ等で呼ばれるパルスシーケンスを示す。この図では、ＲＦ磁場、ｘ、ｙ、ｚ勾配磁場および受信エコーの各軸は、共通の時間軸を有している。このパルスシーケンスは、ＲＦパルスを、繰り返し時間ＴＲで連続的に被検体１に照射し、被検体１に励起される磁化ベクトルを定常な状態とするＳＳＦＰで、かつ、ｘ、ｙおよびｚ軸方向ごとに、繰り返し時間ＴＲ内で、すべての勾配磁場の総和が零となるように設定されるものである。また、図２（Ａ）の例は、ｚ軸と垂直なｘｙ面内の断層像を取得する例である。
【００６７】
図２（Ｂ）は、図２（Ａ）のパルスシーケンスを用いたスキャンにより、Ｋ空間上に取得される磁気共鳴信号を例示したものである。ここでは、ｘｙ面内のラディアルスキャンとしているので、フーリエ空間をなすＫ空間の横軸をＫｘ、縦軸をＫｙとし、一回のＴＲで取得される受信エコーは、空間周波数が零である原点を通る収集ライン上に存在する。ラディアルスキャンは、この原点を中心として、放射状に複数存在する収集ライン上で磁気共鳴信号を取得し、これらデータから、ＫｘおよびＫｙ方向を指標とする碁盤目状のデータを、補間により算出する。なお、図２（Ｂ）に示す収集ラインは、代表的なものを模式的に示したもので、実際の収集ラインの本数は、Ｋ空間のマトリックスサイズ（ｍａｔｒｉｘ  ｓｉｚｅ）と同等程度の分解能が得られる様に設定される。
【００６８】
また、この例のラディアルスキャンでは、Ｋ空間の原点を通る、複数方向の収集ラインでのデータ収集を、位相エンコード量を零とし、周波数エンコード軸をｘｙ面内で回転させることにより行う。図２（Ａ）のパルスシーケンスでは、周波数エンコード軸をｘｙ面内で回転させるので、読み出し勾配磁場がｘおよびｙ軸の両方に存在し、１回のＴＲごとにする大きさが変化する。なお、図２（Ａ）では、ｘ軸勾配およびｙ軸勾配の読み出し勾配磁場の大きさが、一回のＴＲごとに変化することを、点線により模式的に示した。
【００６９】
ここで、ラディアルスキャンは、ｘ軸およびｙ軸方向で読み出し勾配磁場の大きさが、１回のＴＲごとに変化するので、勾配磁場に重畳される磁場不均一の効果も毎回異なる。なお、位相エンコードを用いた碁盤目状のデータ収集では、周波数エンコード軸は、常に１つの軸方向、すなわちｘ、ｙまたはｚ軸方向に固定されるので、磁場不均一の効果は、スキャン中常に同一となる。
【００７０】
図３は、縦軸を信号強度、横軸を図２（Ｂ）の原点を中心とする収集ライン上の位置とし、図２（Ａ）で示されるパルスシーケンスを用いた際に、観測される磁気共鳴信号の典型的な例を示している。ここで、この磁気共鳴信号は、ＦＩＤエコー（フリー  インダクション  ディケイ  エコー：ｆｒｅｅ  ｉｎｄｕｃｔｉｏｎ  ｄｅｃａｙ  ｅｃｈｏ）およびＳＥ・ＳＴＥエコー（スピン  エコー・スティミュレイティッド  エコー：Ｓｐｉｎ  Ｅｃｈｏ・Ｓｔｉｍｕｌａｔｅｄ  Ｅｃｈｏ）の２種類の受信エコーを含んでいる。
【００７１】
ＦＩＤエコーは、読み出し勾配磁場の手前のＲＦパルスにより励起される、励起直後から観測される受信エコーである。図２（Ａ）の例では、ＴＲ内のＲＦパルスにより、主磁場ｚ方向の磁化ベクトルがｘｙ面内に励起された磁化ベクトルである。ＳＥ・ＳＴＥエコーは、複数回前のＲＦパルスにより励起された磁化ベクトルで、勾配磁場の影響の仕方がＦＩＤエコーと異なり、複数回以上前の勾配磁場の大きさにより受信エコーの出現位置が変化する。なお、ＦＩＤエコーおよびＳＥ・ＳＴＥエコーのエコー中心とは、概ね受信エコーの信号強度が最大となるピーク（ｐｅａｋ）位置を指す。
【００７２】
ここで、読み出し勾配磁場の印加中に観測されるＦＩＤエコー、ＳＥ・ＳＴＥエコーを含む磁気共鳴信号は、データ収集部１５０のＡ／Ｄ変換器において、図３に示す様に、−Ｎ／２〜Ｎ／２点のサンプリングが行われる。そして、サンプリングされた磁気共鳴信号情報は、図２（Ｂ）に示すＫ空間上の収集ラインに沿った生データとなる。なお、Ｎは、正の整数で、Ｎ＝１２８、２５６等の値が用いられる。また、サンプリングの中心は、図２（Ｂ）に示すＫ空間上の原点に対応し、空間周波数が零の成分を現す。
【００７３】
つぎに、本発明にかかる補正手段をなす制御部１６０およびデータ処理部１７０の動作を、図４を用いて説明する。図４は、本発明にかかる制御部１６０およびデータ処理部１７０の動作を示すフローチャートである。まず、オペレータは、スキャンを行うパルスシーケンスの設定を、操作部１９０からデータ処理部１７０を介して、制御部１６０に行う（ステップＳ４０１）。ここでは、図２（Ａ）に示す様なＦＩＥＳＴＡを用いたラディアルスキャンの場合を例示する。そして、制御部１６０は、プリスキャン（ｐｒｅｓｃａｎ）を行い、共振周波数、ＲＦ駆動部１４０の利得等の調整を行う。
【００７４】
その後、データ処理部１７０は、一致条件の収集処理を行う（ステップＳ４０３）。この一致条件の収集処理では、図３に例示した、ＦＩＤエコー、ＳＥ・ＳＴＥエコーの各エコー中心を、読み出し勾配磁場の大きさごとに、サンプリングを行う際の原点、すなわちＫ空間上の原点と一致させる、ＲＦパルスの位相角度情報およびディフェーズ勾配磁場の大きさ情報からなる一致条件を収集する。なお、この一致条件の収集処理は、後に詳述する。
【００７５】
その後、制御部１６０は、ステップＳ４０３で取得された読み出し勾配磁場の大きさごとの一致条件を用いて、本スキャンを行う（ステップＳ４０４）。この本スキャンでは、ＦＩＤエコー、ＳＥ・ＳＴＥエコーの各エコー中心は、すべて原点と一致される。特に、ラディアルスキャンの場合には、読み出し勾配磁場が異なる、図２（Ｂ）に示されるＫ空間の原点を中心とするすべての収集ライン上で、すべてのエコー中心と原点とが一致する。
【００７６】
その後、データ処理部１７０は、画像再構成を行う（ステップＳ４０５）。この画像再構成では、Ｋ空間上のデータにフーリエ変換を行い、断層画像情報が生成される。特に、ラディアルスキャンの場合には、図２（Ｂ）に示される原点を中心とする放射状の収集ラインに沿って生データが取得されるので、ＫｘおよびＫｙ軸に沿った碁盤目状のデータが、補間等により生成される。そして、この補間データにフーリエ変換が行われる。
【００７７】
その後、データ処理部１７０は、表示部１８０に、生成された断層画像情報を表示し（ステップＳ４０６）、オペレータ等による読影が行われる。
【００７８】
つづいて、ステップＳ４０３の一致条件の収集処理について、図５を用いて詳細に説明する。図５は、一致条件の収集処理の動作を示すフローチャートである。まず、データ処理部１７０は、図４のステップＳ４０１で設定されたパルスシーケンスの読み出し勾配磁場を算出し、この読み出し勾配磁場を用いた分離パルスシーケンスを、調整手段である制御部１６０へ設定する（ステップＳ５０１）。ここで、分離パルスシーケンスの例を、図６に示す。
【００７９】
図６は、ＳＳＦＰを用いた場合の分離パルスシーケンスの一例である。ここで、分離パルスシーケンスは、ＦＩＤエコー調整用のものと、ＳＥ・ＳＴＥエコー調整用のものの２種が用いられる。ＦＩＤエコー調整用のものを図６（Ａ）に、そして、ＳＥ・ＳＴＥエコー調整用のものを図６（Ｂ）に示す。
【００８０】
図６（Ａ）は、ＦＩＤエコー調整用の分離パルスシーケンスで、ｙ軸に分離勾配磁場であるクラッシャ（ｃｒｕｓｈｅｒ）６０１が存在する。なお、クラッシャ６０１は、読み出し勾配磁場の後に存在するので、ＲＦパルスにより励起されるＦＩＤエコーには、何ら影響を与えず、後続するＳＥ・ＳＴＥエコーの位相をばらけさせ、受信エコーを消滅させる。従って、図６（Ａ）の分離パルスシーケンスでは、読み出し勾配磁場の位置で、ＦＩＤエコーのみが観測される。
【００８１】
図６（Ｂ）は、ＳＥ・ＳＴＥエコー調整用の分離パルスシーケンスで、ｙ軸に分離勾配磁場であるクラッシャ６０２が存在する。なお、クラッシャ６０２は、ＲＦパルスの後、読み出し勾配磁場の前に存在するので、ＲＦパルスにより励起されるＦＩＤエコーの位相をばらけさせ、受信エコーを消滅させる一方で、これ以前のＲＦパルスにより励起されるＳＥ・ＳＴＥエコーは、クラッシャ６０２の勾配磁場面積が打ち消し合い、受信エコーが通常通り出現する。従って、図６（Ｂ）の分離パルスシーケンスでは、読み出し勾配磁場の位置で、ＳＥ・ＳＴＥエコーのみが観測される。なお、図６では、理解を容易にするため、読み出し勾配磁場がｘ軸方向にのみ存在する場合を例示した。
【００８２】
その後、図５に戻り、調整手段である制御部１６０は、図６（Ａ）および（Ｂ）に示した様な分離パルスシーケンスを用いてスキャンを行う（ステップＳ５０２）。そして、データ処理部１７０は、取得されるＦＩＤエコー、ＳＥ・ＳＴＥエコーの受信エコーから、ＦＩＤエコーのエコー中心と収集ライン原点との時間的な距離、並びに、ＳＥ・ＳＴＥエコーのエコー中心と収集ライン原点との時間的な距離であるエコー中心位置情報を取得する。ここで、エコー中心と収集ライン原点との時間的な距離は、これら受信エコーをフーリエ変換して得られる変換データの実数成分および複素数成分間の位相角度から求める。
【００８３】
図７は、エコー中心と収集ライン原点との時間的な距離を求める方法を示したものである。図７（Ａ）は、ＦＩＤエコーあるいはＳＥ・ＳＴＥエコーを示すもので、収集ライン原点とピークをなすエコー中心との時間差をΔΦとする。図７（Ｂ）は、図７（Ａ）の受信エコーをフーリエ変換した際に生じる実数成分および複素数成分間の位相角度の分布を実線で示すものである。ここで、フーリエ変換の時間軸の推移則から、図７（Ａ）に示すΔΦは、図７（Ｂ）に示す位相角度の分布の傾き、すなわち１次成分に等しいことが示される。従って、例えば、図７（Ｂ）の位相角度の分布から、撮像範囲を示すＦＯＶ（Ｆｉｅｌｄ  Ｏｆ  Ｖｉｅｗ）、並びに、この両端部の位相角度Φ１およびΦ２を用いて、
ΔΦ＝（Φ２−Φ１）／ＦＯＶ
により、エコー中心位置情報である時間差ΔΦを求める。
【００８４】
そして、図５に戻り、データ処理部１７０は、エコー中心位置情報が、予め設定される閾値を越えるかどうかを判定し（ステップＳ５０４）、閾値を越える際には（ステップＳ５０４肯定）、エコー中心位置情報から、調整手段である制御部１６０に対して調整を行う（ステップＳ５０５）。ここで、ＦＩＤエコーのエコー中心を調整する場合には、ΔΦから、調整手段により、ＲＦパルスの位相角度を調整し、また、ＳＥ・ＳＴＥエコーのエコー中心を調整する場合には、調整手段により、ディフェーズ勾配磁場の大きさを調整する。そして、ステップＳ５０２に移行し、再度分離パルスシーケンスによるスキャンを行い、エコー中心位置情報が、予め設定される閾値内に収まるまで繰り返す。
【００８５】
また、データ処理部１７０は、閾値を越えない際には（ステップＳ５０４否定）、この読み出し勾配磁場に対する調整は、充分であるとし、ＲＦパルスの位相角度およびディフェーズ勾配磁場の大きさをメモリに保存する（ステップＳ５０６）。そして、ステップＳ４０１で設定されるパルスシーケンスで用いられる、大きさの異なる主要な読み出し勾配磁場で調整が行われたかどうかを判定し（ステップＳ５０７）、主要な読み出し勾配磁場で調整が行われていない場合には（ステップＳ５０７否定）、ステップＳ５０１に移行し、調整が行われていない主要な読み出し勾配磁場を設定し、ステップＳ５０２〜Ｓ５０５を繰り返す。なお、ここで、主要な読み出し勾配磁場とは、ＳＳＦＰのラディアルスキャンで用いられるすべての読み出し勾配磁場から選ばれる、例えば、図２（Ｂ）に示すＫ空間上で、数本〜数十本おきに指定される収集ラインを指す。
【００８６】
また、主要な読み出し勾配磁場で調整が行われた場合には（ステップＳ５０７肯定）、データ処理部１７０の補間手段により、線型補間等の処理を用いて、すべての読み出し勾配磁場に対する、ＲＦパルスの位相角度およびディフェーズ勾配磁場の大きさの調整値を求め（ステップＳ５０８）、本処理を終了する。そして、図４のステップＳ４０４に移行し、本スキャンを行う。なお、ステップＳ５０３でエコー中心位置情報に閾値を設け、この閾値内に入るまで調整を繰り返すこととしたが、調整回数を決め、調整回数の終了により、特定の読み出し勾配磁場に対する調整を終了とすることもできる。
【００８７】
上述してきたように、本実施の形態１では、読み出し勾配磁場が収集ラインごとに異なるＳＳＦＰのラディアルスキャンで、各収集ラインごとに、ＦＩＤエコー、ＳＥ・ＳＴＥエコーのエコー中心が、Ｋ空間上の原点と一致する一致条件の収集を行い、本スキャンの際に、これら一致条件を用いて、Ｋ空間上の受信エコーが、すべて原点にエコー中心を有することとしているので、磁場不均一等により発生するＦＩＤエコー、ＳＥ・ＳＴＥエコーのエコー中心のずれを防止し、ひいては、このずれに起因して発生する断層画像情報のバンドアーチファクトを軽減する。
【００８８】
また、本実施の形態１では、異なる大きさの主要な読み出し勾配磁場で、エコー中心の調整を行うこととしたが、すべての読み出し勾配磁場について調整を行い、補間処理を無くすこともできる。
【００８９】
また、本実施の形態１では、主磁場コイル部１０２に垂直磁場を用いた例を示したが、同様に水平磁場を発生する主磁場コイル部を用いることもできる。
（実施の形態２）
ところで、本発明は、上記実施の形態１では、ＳＳＦＰを用いたラディアルスキャンを用いた場合を例示したが、同様に、ＦＳＥ（ＦａｓｔＳｐｉｎＥｃｈｏ）を用いたラディアルスキャンおよびプロペラスキャン（ＰｒｏｐｅｌｌｅｒＳｃａｎ）の場合にも用いることができる。そこで、本実施の形態２では、ＦＳＥを用いたラディアルスキャンの場合を例示すことにする。
【００９０】
図８に、ＦＳＥを用いたラディアルスキャンのパルスシーケンスを示す。なお、このスキャンを行う磁気共鳴撮像装置の全体構成は、マグネットシステム１００と全く同様であるので、説明を省略する。
【００９１】
図８では、ＲＦ磁場、ｘ、ｙ、ｚ勾配磁場および受信エコーの各軸は、共通の時間軸を有している。このパルスシーケンスは、９０度ＲＦパルスで励起された磁気共鳴信号を、１８０度ＲＦパルスで繰り返し位相反転し、順次受信エコーを取得する。なお、図８の例は、ｚ軸と垂直なｘｙ面内の断層像を取得する例である。
【００９２】
また、１８０度ＲＦパルス間には、ディフェーズ勾配磁場および読み出し勾配磁場が存在し、受信エコーが発生する。ここで、ディフェーズ勾配磁場および読み出し勾配磁場の大きさは、毎回異なり、図８の例では、ｘｙ面内に周波数エンコード軸が存在し、図２（Ｂ）に示したＫ空間上の原点を中心にした放射状の異なる収集ラインに沿った、磁気共鳴信号情報の収集が行われる。そして、異なる読み出し勾配磁場を用いた収集を繰り返し、Ｋ空間を概ね被う、磁気共鳴信号情報の収集が行われる。
【００９３】
また、ＦＳＥを用いたラディアルスキャンのパルスシーケンスでは、磁気共鳴信号情報に、ＳＥエコーおよびＳＴＥエコーの２つの受信エコーが含まれる。なお、ＦＩＤエコーは、ＦＳＥでは用いられず、観測されない。また、ＦＳＥでは、９０度ＲＦパルスにより、図８の例では、ｘｙ面内に励起された磁気共鳴信号を、１８０度ＲＦパルスで反転し、ＳＥエコーとして観測する一方、複数の１８０度ＲＦパルスによるＳＴＥエコーが、ＳＥエコーとは異なる時間軸上の位置に出現する。図８に示す受信エコーの時間軸上に、これらエコーを図示する。最初の１８０度ＲＦパルスの後に、９０度ＲＦパルスで励起された磁気共鳴信号が、第１ＳＥエコーとして、反転され読み出し勾配磁場上に出現する。その後、第１ＳＥエコーは、つぎの１８０度ＲＦパルスにより反転され、第２ＳＥエコーとして、つぎの読み出し勾配磁場上に出現する。
【００９４】
ここで、Ｋ空間上での原点に対応する読み出し勾配磁場上の原点と、第１ＳＥエコー中心および第２ＳＥエコーのエコー中心とは、殆どの場合に一致しない。そして、第１ＳＥエコーのエコー中心と原点との時間差ｔ１と、第２ＳＥエコーのエコー中心と原点との時間差ｔ２は、１８０度ＲＦパルスによる勾配反転により、大きさが等しくｔ１＝ｔ２、原点に対して対称位置に出現する。以後、奇数番目のＳＥエコーおよび偶数番目のＳＥエコーのエコー中心は、常に読み出し勾配磁場の原点に対して、時間軸上の対称位置に出現する。
【００９５】
また、２つ目の１８０度ＲＦパルス以後の読み出し勾配磁場上に、ＳＴＥエコーが生じる。このエコーは、第２ＳＥエコーとは異なる位置に出現するが、ＳＥエコーと同様に１８０度ＲＦパルスの影響を受け、奇数番目のＳＴＥエコーおよび偶数番目のＳＴＥエコーのエコー中心は、常に読み出し勾配磁場の原点に対して、時間軸上の対称位置に出現する。
【００９６】
つぎに、本実施の形態２にかかる補正手段をなす制御部１６０およびデータ処理部１７０の動作を、図９を用いて説明する。図９は、本実施の形態２にかかる制御部１６０およびデータ処理部１７０の一致条件の収集処理を示すフローチャートである。この一致条件の収集処理は、図４のステップＳ４０３に示す、一致条件の収集処理に対応するものであり、なおその他の処理は、図４に示すものと全く同一であるので、説明を省略する。
【００９７】
まず、データ処理部１７０は、図４のステップＳ４０１で設定されるＦＳＥのラディアルスキャンでの読み出し勾配磁場を算出し、この読み出し勾配磁場を用いたパルスシーケンスを、制御部１６０へ設定する（ステップＳ９０１）。
【００９８】
その後、制御部１６０は、スキャンを行う（ステップＳ９０２）。そして、データ処理部１７０は、取得される奇数番目および偶数番目のＳＥエコーあるいはＳＴＥエコーの受信エコーから、例えば奇数番目のＳＥエコーのエコー中心と収集ライン原点との時間的な距離、並びに、偶数番目のＳＥエコーのエコー中心と収集ライン原点との時間的な距離であるエコー中心位置情報を取得する。ここで、エコー中心と収集ライン原点との時間的な距離は、例えば、図７に示した方法と同様に、これら受信エコーをフーリエ変換して得られる変換データの実数成分および複素数成分間の位相角度から求める。なお、ＳＥエコーと同時にＳＴＥエコーも含まれるが、ＳＴＥエコーは、信号強度が小さく無視される。
【００９９】
そして、データ処理部１７０は、エコー中心位置情報が、奇数番目および偶数番目のＳＥエコー中心で、一致するかどうかを判定し（ステップＳ９０４）、一致しない場合には（ステップＳ９０４否定）、調整手段をなす制御部１６０、ＲＦ駆動部１４０および勾配駆動部１３０を用いて、ＲＦパルスの位相角度あるいはディフェーズ勾配磁場の大きさを調整する（ステップＳ９０５）。そして、ステップＳ９０２に移行し、再度パルスシーケンスによるスキャンを行い、奇数番目および偶数番目のＳＥエコー中心位置情報が、一致するまで繰り返す。
【０１００】
また、データ処理部１７０は、奇数番目および偶数番目のＳＥエコー中心位置情報が、一致する場合には（ステップＳ９０４肯定）、この読み出し勾配磁場に対する調整は、充分であるとし、ＲＦパルスの位相角度あるいはディフェーズ勾配磁場の大きさをメモリに保存する（ステップＳ９０６）。なお、奇数番目および偶数番目のＳＥエコー中心位置情報が一致する条件は、奇数番目および偶数番目のＳＥエコー中心位置が変化しない、あるいは奇数番目および偶数番目のＳＥエコー中心位置が原点と一致するとする条件と等価であり置き換えることができる。また、この際、ＳＴＥエコーも、ＳＥエコーと同様のＲＦパルスの位相角度あるいはディフェーズ勾配磁場の影響を受け、奇数番目および偶数番目のＳＴＥエコー中心位置情報は、一致する。
【０１０１】
そして、ステップＳ４０１で設定されるパルスシーケンスで用いられる、主要な読み出し勾配磁場で調整が行われたかどうかを判定し（ステップＳ９０７）、主要な読み出し勾配磁場で調整が行われていない場合には（ステップＳ９０７否定）、ステップＳ９０１に移行し、調整が行われていない主要な読み出し勾配磁場を設定し、ステップＳ９０２〜Ｓ９０６を繰り返す。また、主要な読み出し勾配磁場で調整が行われた場合には（ステップＳ９０７肯定）、ステップＳ９０６で取得されたＲＦパルスの位相角度あるいはディフェーズ勾配磁場の大きさから、補間等の処理により、すべての異なる読み出し勾配磁場に対する、ＲＦパルスの位相角度あるいはディフェーズ勾配磁場の大きさからなる調整値を求める（ステップＳ９０８）。本処理を終了し、図４のステップＳ４０４に移行し、本スキャンを行う。
【０１０２】
上述してきたように、本実施の形態２では、読み出し勾配磁場が収集ラインごとに異なるＦＳＥのラディアルスキャンで、奇数番目および偶数番目のＳＥエコーのエコー中心が、Ｋ空間上の原点と一致する一致条件の収集を行い、本スキャンの際に、これら一致条件を用いて、Ｋ空間上の受信エコーが、すべて原点にエコー中心を有することとしているので、磁場不均一等により発生する、奇数番目および偶数番目のＳＥエコーのエコー中心のずれを防止し、ひいては、このずれに起因して発生する断層画像情報のバンドアーチファクトを軽減する。
【０１０３】
また、本実施の形態２では、ＦＳＥを用いたラディアルスキャンの例を示したが、同様にＦＳＥを用いたプロペラスキャンで、異なる読み出し勾配磁場ごとにエコー中心を、原点に一致させることもできる。
【図面の簡単な説明】
【０１０４】
【図１】磁気共鳴撮像装置の全体構成を示すブロック図である。
【図２】実施の形態１のＳＳＦＰパルスシーケンスおよびＫ空間を示す図である。
【図３】実施の形態１の受信エコーを示す図である。
【図４】実施の形態１の全体動作を示すフローチャートである。
【図５】実施の形態１の一致条件の収集処理を示すフローチャートである。
【図６】実施の形態１の分離パルスシーケンスを示す図である。
【図７】実施の形態１のエコー中心のずれを求める方法を示す図である。
【図８】実施の形態２のＦＳＥパルスシーケンスを示す図である。
【図９】実施の形態２の一致条件の収集処理を示すフローチャートである。
【符号の説明】
【０１０５】
１  被検体
１０１  クレードル
１００  マグネットシステム
１０２  主磁場コイル部
１０６  勾配コイル部
１０８  ＲＦコイル部
１０９  受信コイル部
１３０  勾配駆動部
１４０  ＲＦ駆動部
１５０  データ収集部
１６０  制御部
１７０  データ処理部
１８０  表示部
１９０  操作部
６０１，６０２  クラッシャ
【図１】
2005152175.tif 000003
【図２】
2005152175.tif 000004
【図３】
2005152175.tif 000005
【図４】
2005152175.tif 000006
【図５】
2005152175.tif 000007
【図６】
2005152175.tif 000008
【図７】
2005152175.tif 000009
【図８】
2005152175.tif 000010
【図９】
2005152175.tif 000011